(57)【要約】      （修正有） 【課題】移動して使う個人用人工透析装置用の給排水チューブ類が床上転がし状態の為掃除の支障になったり、同チューブ類自体の汚れや破損により、医療設備として必要とされる衛生状態や安全性を保てない事が危惧される。又地震時や透析治療時に、同個人用人工透析装置のキャスターがこのチューブ類に絡まって転倒する危険がある。そのため、これらを改善するための台車を提供する。【解決手段】キャスター４付基礎板１上部に、頂部ベアリング８付軸ボルト６を設け、そのベアリングに給排水チューブ類括り板１０を固定する構造の台車を実現した。この台車を上記給排水チューブ類下部に装着する事により、同チューブ類を空中保持出来るとともに、微力操作での床上の位置移動が可能になるので、チューブ類自体の衛生及び医療設備としての安全が保たれ、かつ上記個人用人工透析装置の転倒防止対策となる。【選択図】図３
0003170651.tif 000002
【実用新案登録請求の範囲】
【請求項１】
下部に３個のキャスター（４）を取り付けた基礎板（１）の中央上部に軸ボルト（６）
を設け、その軸ボルト（６）上部に給排水チューブ類を括るための給排水チューブ類括
り板（１０）を設けた床上転がしチューブ類空中保持用台車。
【請求項２】
前記基礎板（１）の全周に緩衝材（２）を取り付け、同じく前記基礎板（１）の下部に
重量調整板（３）を設けた請求項１に記載の床上転がしチューブ類空中保持用台車。
【請求項３】
前記軸ボルト（６）は軸ボルト固定用ナット（７）で高さの調節を可能とし、同じく前
記軸ボルト（６）の上部には前記給排水チューブ類括り板（１０）を平面的に回転させ
るためのベアリング（８）を設けた請求項１に記載の床上チューブ類空中保持用台
車。
【請求項４】
前記給排水チューブ類括り板（１０）は下部の括り板支持パイプ（１２）と一体化し、
その括り板支持パイプ（１２）を前記ベアリング（８）に押ビス（１４）で固定するこ
とにより、前記給排水チューブ類括り板（１０）部分が着脱可能となり、それによって
前記ベアリング（８）の保守や取り替えを容易にした請求項１又は請求項３に記載の床
上転がしチューブ類空中保持用台車。
【請求項５】
前記給排水チューブ類括り板（１０）は断面形をＵ字型状とし、そのＵ字型状立上り部
分にチューブ類を括り付けるための紐又は樹脂製結束バンド用通し穴（１１）を設けた
請求項１又は請求項３又は請求項４に記載の床上転がしチューブ類空中保持用台車。
【考案の詳細な説明】
【技術分野】
【０００１】
本考案は人工透析治療室において、床上を移動させて使用する個人用人工透析装置用の
給排水チューブ類が床転がし状態であるので、その給排水チューブ類を空中に持ち上げ
た状態を保ち、且つ床上移動を容易にする事を目的として装着する器具に関するもので
ある。
【背景技術】
【０００２】
地震時の転倒防止を目的として個人用人工透析装置脚部に筒状金物を装着した事例はあ
る。これは突出した筒先端から給排水チューブ類を出すことにより、床上転がし状態の
給排水チューブ類と個人用人工透析装置のキャスターが絡みにくい様にしたものである
が普及はしていない。尚、この筒状金物の特許や実用新案の申請はなされていない。
【０００３】
したがって透析医療関係者より、この給排水チューブ類自体の衛生面や医療設備として
の安全面、そして個人用人工透析装置の地震時等における転倒の危険性を改善する装置、
対策が望まれているが、これら全てを改善する器具類は考案されていない。
【考案の概要】
【考案が解決しようとする課題】
【０００４】
上記の背景技術０００２に記載した筒状金物は普及状態にないので、同じく背景技術０
００３に記載した給排水チューブ類自体の衛生面や医療設備としての安全面、そしてタ
ワー形状で倒れやすい個人用人工透析装置が、地震時や治療のための移動時に転倒する
ことの危険性を改善するための器具を提供することを目的とする。以降にその詳細を記
載する。
【０００５】
衛生的であるべき人工透析治療室の床掃除が、床上に転がって動かしにくい上記給排水チューブ類の存在でやりにくいので、同給排水チューブ類の床上位置移動を容易にする
ための器具を提供する。
【０００６】
上記給排水チューブ類が床と接することにより、床面の汚れが同給排水チューブ類に付
着し不衛生であるので、同給排水チューブ類を空中に持ち上げ、その状態を保持させる
器具を提供する。
【０００７】
上記給排水チューブ類が床面と擦れることにより、同給排水チューブ類が擦り切れたり、床面の異物で破損することにより、医療設備としての安全性が保てなくなる可能性があるので、同給排水チューブ類を空中に持ち上げ、その状態を保持させる器具を提供する。 
【０００８】
地震時や治療のために上記個人用人工透析装置を移動する時に、その脚部についている
キャスターが床上に転がっている上記給排水チューブ類に絡むことにより、同個人用人
工透析装置が転倒する危険性があるので、その防止策として同給排水チューブ類を空中
に持ち上げ、その状態を保持させるとともに、その床上での位置移動を容易にするため
の器具を提供する。 
【課題を解決するための手段】
【０００９】
そこで本考案は、上記の課題を解決する器具として、下記の構成で製作し、床上に転が
し状態にある給排水チューブ類の下部に装着して使う台車の提供を目的とした。 
【００１０】
台車自体の転倒防止のための重しとなる基礎板の下部に、台車の床上自由移動のための
キャスターを設け、同基礎板の全周には対物衝突対策として緩衝材を取り付ける。
又、同基礎板の重量が不足する場合は、その下面に重量調整板を設ける。
【００１１】
上記基礎板の中心上部に、床面より上記給排水チューブ類を持ち上げ、その高さを保ち、
且つ調節するための軸ボルトを設け、その頂部に平面的回転用のベアリングを固定する。
【００１２】
上記給排水チューブ類を括りつける給排水チューブ類括り板の支持部材を上記のベア
リングに固定する。これにより同給排水チューブ類括り板が平面的に３６０°自由回転
出来得ることとなる。
【考案の効果】
【００１３】
以上により構成された本考案に係る台車を、個人用人工透析装置と配管・配線カウンター間の、１本に束ねた給排水チューブ類の下部に必要数装着すれば、同給排水チューブ
類は常に空中に持ち上げられた状態が保持出来、且つ、微力操作での床上移動が可能と
なる。したがって下記の効果が実現出来る。
【００１４】
上記給排水チューブ類を微力操作で床上移動出来るので、床等の掃除がしやすくなるため、人工透析治療室内の衛生環境を良好に保つ事が出来る。
【００１５】
上記給排水チューブ類を常に空中保持出来るので、床の汚れが同給排水チューブ類に付
着する事が無くなるため、その衛生状態を良好に保つことが出来る。
【００１６】
上記給排水チューブ類を常に空中保持出来るので、床や床にある異物と接触することに
よる破損等の可能性が無くなるので、医療設備としての安全性を保つ事が出来る。
【００１７】
上記給排水チューブ類が上記個人用人工透析装置脚部のキャスター車輪より高い位置に
保持出来るとともに、微力操作で床上移動するので、地震時や透析治療中の同個人用人
工透析装置移動時に、同キャスター車輪が同給排水チューブに乗ったり、ひっかかった
りすることによる転倒を防止出来る。
【図面の簡単な説明】
【００１８】
【図１】本考案に係る台車の一実施例を給排水チューブ類括り板上部より見た概略斜        視図である。
【図２】本考案に係る台車の一実施例を基礎板下部から見た概略斜視図である。
【図３】本考案に係る台車の一実施例の要部を破断した側面図である。
【図４】本考案に係る台車の一実施例に１本に束ねた給排水チューブ類を括りつけた        状態での側面図である。
【図５】本考案に係る台車の一実施例に１本に束ねた給排水チューブ類を括りつけた        状態を、給排水チューブ類括り板上部より見た概略斜視図である。
【図６】本考案に係る台車を装着する前の、配管・配線カウンターと個人用人工透析            装置間における、１本に束ねた給排水チューブ類の一般的な使用状況を示す側面図である。
【図７】本考案に係る台車の一実施例を装着した状態での、１本に束ねた給排水チュ               ーブ類の一般的な使用状況を示す側面図である。
【実施例】
【００１９】
以下に本考案に係る「床上転がしチューブ類空中保持用台車」の実施例を図１〜図７に
基づいて説明する。
【００２０】
実施例の概要は下部に３個のキャスター（４）を取り付けた基礎板（１）の中央上部に
軸ボルト（６）を設け、その軸ボルト（６）上部に給排水チューブ類を括るための給排
水チューブ類括り板（１０）を設けたものである。
下記にてその詳細を説明する。
【００２１】
前記基礎板（１）の全周に緩衝材（２）を取り付け、同じく前記基礎板（１）の下部に
重量調整板（３）を設けた。
【００２２】
前記軸ボルト（６）は軸ボルト固定用ナット（７）で高さの調節を可能とし、同じく前記軸ボルト（６）の上部には前記給排水チューブ類括り板（１０）を平面的に回転させ
るためのベアリング（８）を設けた。
【００２３】
前記給排水チューブ類括り板（１０）は下部の括り板支持パイプ（１２）と一体化し、その括り板支持パイプ（１２）を前記のベアリング（８）に押ビス（１４）で固定することにより、前記給排水チューブ類括り板（１０）部分が着脱可能となり、それによっ
て前記ベアリング（８）の保守や取り替えを容易にした。
【００２４】
前記給排水チューブ類括り板（１０）は断面形をＵ字型状とし、そのＵ字型状立上り部
分にチューブ類を括り付けるための紐又は樹脂製結束バンド用通し穴（１１）を設けた。
【００２５】
実施例で使う材料の素材は金属又は樹脂が適当である。ただし緩衝材（２）のみは樹脂
又はゴムが適当である。
【符号の説明】
【００２６】
１  基礎板
２  緩衝材
３  重量調整板
４  キャスター
５  キャスター固定用袋ナット    
６  軸ボルト
７  軸ボルト固定用ナット  
８  ベアリング
９  ベアリング固定用ナット
１０  給排水チューブ類括り板
１１  紐又は樹脂製結束バンド用通し穴
１２  括り板支持パイプ
１３  ベアリング位置固定用内部組込みパイプ
１４  押ビス 
１５  １本に束ねた給排水チューブ類
１６  紐又は樹脂製結束バンド
１７  個人用透析装置
１８  配管・配線カウンター
１９  本考案の床上転がしチューブ類空中保持用台車
２０  床面
【図１】
0003170651.tif 000003
【図２】
0003170651.tif 000004
【図３】
0003170651.tif 000005
【図４】
0003170651.tif 000006
【図５】
0003170651.tif 000007
【図６】
0003170651.tif 000008
【図７】
0003170651.tif 000009